【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】
対向する基板間に注入口を有するシール部材で液晶セル部を形成し前記注入口から前記液晶セル部に液晶を充填する液晶装置において、
前記対向する基板のそれぞれには前記注入口あるいは前記注入口近傍の部位に複数のダミー電極が配設され１の前記ダミー電極が他の前記ダミー電極と電気的導通手段により電気的に導通していることを特徴とする液晶装置。
【請求項２】
少なくとも一方の前記基板の前記ダミー電極は電気的に独立し且つほぼ同じ電極幅を有する複数の島状ダミー電極でありこの島状ダミー電極が隣り合う他の前記島状ダミー電極の少なくとも１つと前記電気的導通手段により電気的に導通していることを特徴とする請求項１に記載の液晶装置。
【請求項３】
所定のピッチで配設された複数の前記島状ダミー電極が、前記導通手段で電気的に導通していることを特徴とする請求項２に記載の液晶装置。
【請求項４】
前記導通手段が、駆動電極と同じ電極材よりなることを特徴とする請求項１または２または３に記載の液晶装置。
【請求項５】
少なくとも一方の前記基板の前記ダミー電極は電気的に独立したところの島状ダミー電極でありこの島状ダミー電極が隣り合う駆動電極から延長された電極の少なくとも１つと導通手段により電気的に導通していることを特徴とする請求項１に記載の液晶装置。
【請求項６】
前記導通手段が、導電粒子を有するシール部材よりなることを特徴とする請求項３に記載の液晶装置。
【請求項７】
前記導通手段が、導電粒子を有する液晶注入支柱よりなることを特徴とする請求項３に記載の液晶装置。
【請求項８】
前記導通手段が、導電粒子を有する液晶注入障壁部材よりなることを特徴とする請求項３に記載の液晶装置。
【請求項９】
電極間を電気的に導通する前記導通手段の電極幅が、前記駆動電極の電極幅とほぼ等しいことを特徴とする請求項４に記載の液晶装置。
【請求項１０】
対向する基板間に注入口を有するシール部材で液晶セル部を形成し前記注入口から前記液晶セル部に液晶を充填する液晶装置において、
少なくとも一方の前記基板には電気的に独立した複数の島状ダミー電極が前記注入口あるいは前記注入口近傍の部位に設けられており他方の前記基板には前記島状ダミー電極と対向して他の島状ダミー電極が配設されておりこれらの対向するダミー電極の少なくとも１組は導通手段により電気的に導通していることを特徴とする液晶装置。
【請求項１１】
対向する基板間に注入口を有するシール部材で液晶セル部を形成し前記注入口から前記液晶セル部に液晶を充填する液晶装置において、
少なくとも一方の前記基板には電気的に独立した複数の島状ダミー電極が前記注入口あるいは前記注入口近傍の部位に設けられており他方の前記基板には前記島状ダミー電極と対向して駆動電極を延長してなるダミー電極が配設されておりこれらの対向するダミー電極の少なくとも１組は導通手段により電気的に導通していることを特徴とする液晶装置。
【請求項１２】
複数の前記島状ダミー電極が、ほぼ同じ電極幅を有する複数の島状ダミー電極であることを特徴とする請求項１０または１１に記載の液晶装置。
【請求項１３】
前記導通手段が、前記液晶注入口及びその近傍に配設された異方性導電接着剤よりなることを特徴とする請求項１０または１１または１２に記載の液晶装置。
【手続補正２】
【補正対象書類名】明細書
【補正対象項目名】００１１
【補正方法】変更
【補正の内容】
【００１１】
【課題を解決するための手段】
上記の課題を解決するための本発明の第１の手段は、対向する基板間に注入口を有するシール部材で液晶セル部を形成し前記注入口から前記液晶セル部に液晶を充填する液晶装置において、前記対向する基板のそれぞれには前記注入口あるいは前記注入口近傍の部位に複数のダミー電極が配設され１の前記ダミー電極が他の前記ダミー電極と電気的導通手段により電気的に導通していることを特徴とする。
【手続補正３】
【補正対象書類名】明細書
【補正対象項目名】００１２
【補正方法】変更
【補正の内容】
【００１２】
上記の課題を解決するための本発明の第２の手段は、本発明の第１の手段において少なくとも一方の前記基板の前記ダミー電極は電気的に独立し且つほぼ同じ電極幅を有する複数の島状ダミー電極でありこの島状ダミー電極が隣り合う他の前記島状ダミー電極の少なくとも１つと前記電気的導通手段により電気的に導通していることを特徴とする。
上記の課題を解決するための本発明の第３の手段は、本発明の第２の手段において所定のピッチで配設された複数の前記島状ダミー電極が、前記導通手段で電気的に導通していることを特徴とする。
上記の課題を解決するための本発明の第４の手段は、本発明の第１または第２または第３の手段において前記導通手段が、駆動電極と同じ電極材よりなることを特徴とする。
【手続補正４】
【補正対象書類名】明細書
【補正対象項目名】００１３
【補正方法】変更
【補正の内容】
【００１３】
上記の課題を解決するための本発明の第５の手段は、本発明の第１の手段において少なくとも一方の前記基板の前記ダミー電極は電気的に独立したところの島状ダミー電極でありこの島状ダミー電極が隣り合う駆動電極から延長された電極の少なくとも１つと導通手段により電気的に導通していることを特徴とする。
【手続補正５】
【補正対象書類名】明細書
【補正対象項目名】００１４
【補正方法】変更
【補正の内容】
【００１４】
上記の課題を解決するための本発明の第６の手段は、本発明の第３の手段において
前記導通手段が、導電粒子を有するシール部材よりなることを特徴とする。
上記の課題を解決するための本発明の第７の手段は、本発明の第３の手段において前記導通手段が、導電粒子を有する液晶注入支柱よりなることを特徴とする。
上記の課題を解決するための本発明の第８の手段は、本発明の第３の手段において前記導通手段が、導電粒子を有する液晶注入障壁部材よりなることを特徴とする。
上記の課題を解決するための本発明の第９の手段は、本発明の第４の手段において
電極間を電気的に導通する前記導通手段の電極幅が、前記駆動電極の電極幅とほぼ等しいことを特徴とする。
【手続補正６】
【補正対象書類名】明細書
【補正対象項目名】００１５
【補正方法】変更
【補正の内容】
【００１５】
また、上記の課題を解決するための本発明の第１０の手段は、対向する基板間に注入口を有するシール部材で液晶セル部を形成し前記注入口から前記液晶セル部に液晶を充填する液晶装置において、少なくとも一方の前記基板には電気的に独立した複数の島状ダミー電極が前記注入口あるいは前記注入口近傍の部位に設けられており他方の前記基板には前記島状ダミー電極と対向して他の島状ダミー電極が配設されておりこれらの対向するダミー電極の少なくとも１組は導通手段により電気的に導通していることを特徴とする。
【手続補正７】
【補正対象書類名】明細書
【補正対象項目名】００１６
【補正方法】変更
【補正の内容】
【００１６】
また、上記の課題を解決するための本発明の第１１の手段は、対向する基板間に注入口を有するシール部材で液晶セル部を形成し前記注入口から前記液晶セル部に液晶を充填する液晶装置において、少なくとも一方の前記基板には電気的に独立した複数の島状ダミー
電極が前記注入口あるいは前記注入口近傍の部位に設けられており他方の前記基板には前記島状ダミー電極と対向して駆動電極を延長してなるダミー電極が配設されておりこれらの対向するダミー電極の少なくとも１組は導通手段により電気的に導通していることを特徴とする。
【手続補正８】
【補正対象書類名】明細書
【補正対象項目名】００１７
【補正方法】変更
【補正の内容】
【００１７】
さらに上記の課題を解決するための本発明の第１２の手段は、本発明の第１０または第１１の手段において  複数の前記島状ダミー電極が、ほぼ同じ電極幅を有する複数の島状ダミー電極であることを特徴とする。
さらに上記の課題を解決するための本発明の第１３の手段は、本発明の第１０または第１１または第１２の手段において  前記導通手段が、前記液晶注入口及びその近傍に配設された異方性導電接着剤よりなることを特徴とする。
【手続補正９】
【補正対象書類名】明細書
【補正対象項目名】００２３
【補正方法】変更
【補正の内容】
【００２３】
液晶上基板１と液晶下基板２との間には、シール部材３、液晶注入口支柱５、および注入障壁部材６で接着されている。また、液晶上基板１、液晶下基板２、およびシール部材３によって囲まれた液晶セル部４には液晶が充填されている。シール部材３、液晶注入口支柱５、および注入障壁部材６は絶縁性接着剤に導電粒子を混在させた異方性導電接着材によって形成され、異方性導電接着材は液晶上基板１と液晶下基板２との間の対向位置のみに導電機能を有するが、該方向に直交する方向には導電機能を有しない。
シール部材は、トランスファー方式（一方の基板の電極と対向する他方の対向する電極とを異方性電接着材よりなるシール部材での電気的に接続するタイプの液晶装置から）液晶装置以外の液晶装置では絶縁性接着材を用いる場合もある。本発明に絶縁性接着剤をシール部材として用いた場合にも、本発明の効果が得られる。より好ましい本発明は、シール部材３、液晶注入口支柱５、および注入障壁部材６を異方性導電接着材によって形成することで、１回の印刷塗布で前記３カ所の形成をすますのが、絶縁接着材を用いた場合より工程が単純化されコストダウンになる。
【手続補正１０】
【補正対象書類名】明細書
【補正対象項目名】００２４
【補正方法】変更
【補正の内容】
【００２４】
上述のように構成されている液晶上基板１と液晶下基板２との間の対向位置のみの導電機能により、図６に示すように、外部に設けられている制御回路に接続されている複数の補助リード２ｅと、この補助リード２ｅに対向している複数の上リード１ｄとを電気的に接続している。また、図９に示すように、複数の島状ダミー上電極１ｇとこの島状ダミー上電極１ｇに対向している他の電極である島状ダミー下電極２ｆとを電気的に接続している。このようにして島状ダミー上電極１ｇと島状ダミー下電極２ｆとが異方性導電接着材の
導電粒子により電気的に接続されているので、液晶注入口３ａから液晶を注入する際に、例えば、液晶注入口３ａに近接している島状ダミー上電極１ｇや島状ダミー下電極２ｆに静電気が発生しても、異方性導電接着材により構成された注入障壁部材６で注入口のすべての島状ダミー上電極１ｇと島状ダミー下電極２ｆがショートされているので、放電による問題が抑えられる。
これは、孤立した導体球の静電容量の関係式である  Ｖ＝Ｑ／４πεＲ（ここで、Ｖは導体表面の電位、Ｑは導体に帯電した電化であり、εは誘電率、Ｒは導体球の半径、）より、分母が大きくなりＶが抑えられるためと考えられる。
【手続補正１１】
【補正対象書類名】明細書
【補正対象項目名】００３０
【補正方法】変更
【補正の内容】
【００３０】
図１０、および図１１において第２実施例について説明する。第２実施例が前述した第１実施例と異なるところは、異方性導電接着材によって形成されている注入障壁部材１０６の長さが短く形成されている。さらに、異方性導電接着材によって形成されているシール部材１０３、注入障壁部材１０６、および液晶注入口支柱１０５が、液晶注入口１０３ａの部位あるいは液晶注入口に近接して配設されている複数の隣り合う島状ダミー上電極１０１ｇの全てを、電気的に接続（導通）するために導通手段である導通部材を配設する。また、図１１において、図１１の液晶上電極１ｆに対向して液晶下電極２ｄ（図２参照）が液晶上電極１ｆの配線と直交する方向に配設されている。この液晶下電極２ｄは、島状ダミー上電極１０１ｇを図１１で左方向に延長した形状で下基板に設けられている。
【手続補正１２】
【補正対象書類名】明細書
【補正対象項目名】００３６
【補正方法】変更
【補正の内容】
【００３６】
上述した第２実施例では液晶上基板１に形成されている島状ダミー上電極１０１ｇが接続部１０１ｊによって相互に接続されている例について説明したが、液晶下基板２に形成されている複数の島状ダミー下電極１０２ｆを接続部によって相互に接続しても同様の効果がある。
さらに、複数の島状ダミー下電極１０２ｆを接続部１０１ｊによって接続すると共に、異方性導電接着剤よりなるシール部材または／及び注入障壁で対向基板上の島状ダミー上電極１ｇとを接続しても本発明の効果は得られる。
ここで、島状ダミー電極を接続部１０１ｊで接続するため島状ダミー電極と称することは適切でないかもしれぬが、島状ダミー電極の本来の目的が、液晶電極の配線ピッチすなわち電極幅と平面方向の電極間間隙と同様な配線ピッチを有するダミー電極、すなわち島状ダミー電極を配設し、ダミー電極の配設された部位で看視される表示が輝度、色ムラとして目立つ、あるいは液晶装置の周辺画像品質の悪化を防ぐ目的を達成するためにある。
よって、接続部で接続しても、島状ダミー電極の本来の作用効果は備えているので島状ダミー電極なのである。
このように、本発明は、駆動電極と電極間の間隙を一定にするためのダミー電極を有する２枚の基板の対向する前記基板間に液晶注入口を有するシール部材で液晶セル部を形成し前記液晶注入口から前記液晶セル部に液晶を充填した液晶装置において、前記駆動電極の電極幅の方向で前記駆動電極より広い幅の領域に電気的に接続されて同じ電位とされた複数のダミー電極を有することを特徴とするとも言え、また本発明は、駆動電極と電極間
の間隙を一定にするためのダミー電極を有する２枚の基板の対向する前記基板間に液晶注入口を有するシール部材で液晶セル部を形成し前記液晶注入口から前記液晶セル部に液晶を充填した液晶装置において、少なくとも一方の前記基板には前記ダミー電極が電気的に独立した島状ダミー電極をなして前記注入口に１つ以上設けられておりこの島状ダミー電極が隣り合う他の島状ダミー電極または前記シール部材の配設部に少なくとも電極の一部が重なった島状ダミー電極または隣り合う１つの駆動電極の少なくとも１つと導通手段により電気的に導通していることを特徴とするとも言える。